【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
複数の第１磁石ユニットが配置された固定板と、
前記固定板と対向し、複数の第２磁石ユニットが配置された回転板を備え、
前記固定板または前記回転板のいずれか一方が軸心上を回転し、他方が回転しないときには、前記複数の前記第１磁石ユニットと前記複数の前記第２磁石ユニットとの間には斥力が発生し、
前記複数の前記第１磁石ユニットは軸を中心に第１列及び第２列を成して配置され、前記第１列の前記第１磁石ユニットの中心軸と、前記第２列の前記第１磁石ユニットの中心軸は互いに同相であり、
前記複数の前記第２磁石ユニットは前記軸を中心に第３列と第４列を成して配置され、前記第３列の前記第２磁石ユニットの中心軸と、前記第４列の前記第２磁石ユニットの中心軸は互い位相がずれている、磁力回転加速装置。
【請求項２】
前記回転板は前記固定板に対向して前記軸を中心に回転し、
前記第３列は前記第１列に対向して回転し、
前記第４列は前記第２列に対向して回転する、請求項１に記載の磁力回転加速装置。
【請求項３】
前記第２列に配置された前記第１磁石ユニット間の間隔は、前記第１列に配置された前記第１磁石ユニット間の間隔よりも大きく、前記第４列に配置された前記第２磁石ユニット間の間隔は、前記第３列に配置された前記第２磁石ユニット間の間隔よりも大きい、請求項１に記載の磁力回転加速装置。
【請求項４】
前記第１列に配置された前記第１磁石ユニットの個数と、前記第２列に配置された前記第１磁石ユニットの個数は同じである、請求項１に記載の磁力回転加速装置。
【請求項５】
前記第３列に配置された前記第２磁石ユニットの個数と、前記第４列に配置された前記第２磁石ユニットの個数は同じである、請求項４に記載の磁力回転加速装置。
【請求項６】
前記第３列は前記第１列に対向して回転し、
前記第１列に配置された前記第１磁石ユニットの個数は、前記第３列に配置された前記第２磁石ユニットの個数と異なる、請求項５に記載の磁力回転加速装置。
【請求項７】
前記軸から延びる２本の直線を描くと、前記第１列の前記第１磁石ユニットと前記第２列の前記第２磁石ユニットは、前記２本の直線の両方に接する、請求項１に記載の磁力回転加速装置。
【請求項８】
前記軸から延び前記第３列の前記第２磁石ユニットに接する直線は、前記第４列の前記第２磁石ユニットと接しない、請求項７に記載の磁力回転加速装置。
【請求項９】
第１期間の間、電源供給部はモーターに電力を供給し、前記モーターは、前記電源供給部から電力が供給された時に作動し、前記回転板は、前記モーターに連結された軸として回転し、前記電源供給部は、前記第１期間より後の第２期間の間、前記モーターには電力を供給せず、前記回転板は、前記第２期間の間に磁場サーフィン動作をし、前記電源供給部は、前記第２期間の後、前記モーターを再度作動させる、請求項１に記載の磁力回転加速装置。
【請求項１０】
前記第１磁石ユニットのそれぞれの磁場軸は、前記第１磁石ユニットの中心軸に対して第１方向に鋭角を成し、
前記第２磁石ユニットのそれぞれの磁場軸は、前記第２磁石ユニットの中心軸に対して第２方向に鋭角を成す、請求項１に記載の磁力回転加速装置。
【請求項１１】
前記固定板は、前記回転板と同じサイズを有する、請求項１に記載の磁力回転加速装置。
【請求項１２】
前記固定板は、前記回転板と異なるサイズを有する、請求項１に記載の磁力回転加速装置。
【請求項１３】
複数の第１磁石ユニットが配置された固定板と、
前記固定板と対向し、複数の第２磁石ユニットが配置された回転板を備え、
前記固定板または前記回転板のいずれか一方が軸心上を回転し、他方が回転しないときには、前記複数の前記第１磁石ユニットと前記複数の前記第２磁石ユニットとの間には斥力が発生し、
前記複数の前記第１磁石ユニットは前記軸を中心に第１列及び第２列を成して配置され、前記複数の前記第２磁石ユニットは前記軸を中心に第３列と第４列を成して配置され、
前記第３列は前記第１列に対して回転し、前記第１列に配置された前記複数の前記第１磁石ユニットの個数は、前記第３列に配置された前記複数の前記第２磁石ユニットの個数と異なり、前記第１及び前記第２磁石ユニットのそれぞれは、不平衡な磁気ベクトル波を有し、前記第１磁石ユニットの中心軸は、前記第１磁石ユニットの磁場軸と位相がずれており、前記第２磁石ユニットの中心軸は、前記第２磁石ユニットの磁場軸と位相がずれている、磁力回転加速装置。
【請求項１４】
前記第４列は前記第２列に対向して回転し、前記第２列に配置された前記複数の前記第１磁石ユニットの個数は、前記第４列に配置された前記複数の前記第２磁石ユニットの個数と異なる、請求項１３に記載の磁力回転加速装置。
【請求項１５】
複数の第１磁石ユニットが配置された固定板と、
前記固定板と対向し、複数の第２磁石ユニットが配置された回転板を備え、
前記固定板または前記回転板のいずれか一方が軸心上を回転し、他方が回転しないときには、前記複数の前記第１磁石ユニットと前記複数の前記第２磁石ユニットとの間には斥力が発生し、
前記複数の前記第１磁石ユニットは前記軸を中心に第１列及び第２列を成して配置され、前記複数の前記第２磁石ユニットは前記軸を中心に第３列と第４列を成して配置され、
前記第３列は前記第１列に対向して回転し、前記第４列は前記第２列に対向して回転し、
前記回転板が回転する間、前記第３列の前記第２磁石ユニットが前記第１列の前記第１磁石ユニットとオーバーラップし始める時点と、前記第４列の前記第２磁石ユニットが前記第２列の前記第１磁石ユニットとオーバーラップし始める時点が互いに異なり、
前記第１及び前記第２磁石ユニットのそれぞれは、不平衡な磁気ベクトル波を有し、前記第１磁石ユニットの中心軸は、前記第１磁石ユニットの磁場軸と位相がずれており、前記第２磁石ユニットの中心軸は、前記第２磁石ユニットの磁場軸と位相がずれている、磁力回転加速装置。
【請求項１６】
複数の第１磁石ユニットが配置された固定板と、
前記固定板と対向し、複数の第２磁石ユニットが配置された回転板を備え、
前記固定板または前記回転板のいずれか一方が軸心上を回転し、他方が回転しないときには、前記複数の前記第１磁石ユニットと前記複数の前記第２磁石ユニットとの間には斥力が発生し、
前記複数の前記第１磁石ユニットは前記軸を中心に第１列及び第２列を成して配置され、前記複数の前記第２磁石ユニットは前記軸を中心に第３列と第４列を成して配置され、
前記軸から延びる２本の直線を描くと、前記第１列の前記第１磁石ユニットと前記第２列の前記第１磁石ユニットは、前記２本の直線の両方に接し、前記軸から延び前記第３列の前記第２磁石ユニットに接する直線は、前記第４列の前記第２磁石ユニットと接しなく、
前記第１及び前記第２磁石ユニットのそれぞれは、不平衡な磁気ベクトル波を有し、前記第１磁石ユニットの中心軸は、前記第１磁石ユニットの磁場軸と位相がずれており、前記第２磁石ユニットの中心軸は、前記第２磁石ユニットの磁場軸と位相がずれている、磁力回転加速装置。
【請求項１７】
複数の第１磁石ユニットが配置された固定板と、
前記固定板と対向し、複数の第２磁石ユニットが配置された回転板を備え、
前記固定板または前記回転板のいずれか一方が軸心上を回転し、他方が回転しないときには、前記複数の前記第１磁石ユニットと前記複数の前記第２磁石ユニットとの間には斥力が発生し、
前記複数の前記第１磁石ユニットは前記軸を中心に第１列及び第２列を成して配置され、前記複数の前記第２磁石ユニットは前記軸を中心に第３列と第４列を成して配置され、
前記第１及び前記第２磁石ユニットのそれぞれは、不平衡な磁気ベクトル波を有し、前記第１磁石ユニットの中心軸は、前記第１磁石ユニットの磁場軸と位相がずれており、前記第２磁石ユニットの中心軸は、前記第２磁石ユニットの磁場軸と位相がずれている、磁力回転加速装置。
【請求項１８】
前記第３列は前記第１列と対向して回転し、前記中心軸と前記第３列の前記第２磁石ユニットの磁場軸との間の第１角度は、前記中心軸と前記第１列の前記第１磁石ユニットの磁場軸との間の第２角度と異なる、請求項１７に記載の磁力回転加速装置。
【請求項１９】
前記中心軸と前記第３列の前記第２磁石ユニットの磁場軸との間の第１角度は、前記中心軸と前記第４列の前記第２磁石ユニットの磁場軸との間の第３角度と異なる、請求項１８に記載の磁力回転加速装置。